(57)【要約】本発明は２つのカッティングナイフ突出口の最上段と外部スリーブ管ソケット間の距離に一定の偏差を置くことによってカッティングナイフの軸方向での切削空間を大きくすることのできる拡張補助機カッティングヘッドを提供する。また、本発明は外部スリーブ管を有し、前記外部スリーブ管内部キャビティにプッシュプルロッドがあり、前記プッシュプルロッドの最上段に２つの金属片カッティングナイフが固定され、前記外部スリーブ管の最上段に外部スリーブ管ソケットがあり、前記外部スリーブ管の側壁から対応する２つの金属片カッティングナイフには２つのストリップ型カッティングナイフ突出口があり、前記２つの金属片カッティングナイフと対応する２つのカッティングナイフ突出口から突出されることができ、前記２つの金属片カッティングナイフ間に一つの中心隔離板が前記外部スリーブ管ソケットにさらに固定され、前記２つのカッティングナイフ突出口の最上段と外部スリーブ管ソケット間の距離に偏差がある。また、前記２つのカッティングナイフ突出口の最上段と外部スリーブ管ソケット間の距離偏差が２ｍｍないし２０ｍｍ以内である。【選択図】図１
2017515533.tif 000002
【特許請求の範囲】
【請求項１】
拡張補助機カッティングヘッドにおいて、
外部スリーブ管を有し、前記外部スリーブ管内部キャビティにプッシュプルロッドがあり、前記プッシュプルロッドの最上段に２つの金属片カッティングナイフが固定され、前記外部スリーブ管の最上段に外部スリーブ管ソケットがあり、前記外部スリーブ管の側壁から対応する２つの金属片カッティングナイフには２つのストリップ型カッティングナイフ突出口があり、前記２つの金属片カッティングナイフと対応する２つのカッティングナイフ突出口から突出されることができ、前記２つの金属片カッティングナイフ間に一つの中心隔離板が前記外部スリーブ管ソケットにさらに固定され、前記２つのカッティングナイフ突出口の最上段と外部スリーブ管ソケット間の距離に偏差があることを特徴とする拡張補助機カッティングヘッド。
【請求項２】
前記２つのカッティングナイフ突出口の最上段と外部スリーブ管ソケット間の距離偏差が２ｍｍないし２０ｍｍ以内であることを特徴とする請求項１に記載の拡張補助機カッティングヘッド。
【発明の詳細な説明】
【技術分野】
【０００１】
本発明は、整形外科の医療手術用手術機械分野に関し、より詳しくは拡張補助機カッティングヘッドに関する。
【背景技術】
【０００２】
現在、脊椎圧迫骨折患者の場合、その痛みを緩和させるために脊椎形成手術治療を行なうにおいて、バルーン拡張機を利用して脊椎内に一つのキャビティを拡張形成した後に骨セメントを注入しなければならない。しかし、手術中にバルーンが脊椎内の骨棘に因って破裂されることもあるが、これは手術時間を遅延させて手術費用を増加させる。骨棘に因ってバルーンが破裂されることを防止するために、通常拡張補助機を拡張回転させて脊椎内の骨棘を除去する。本願出願人が出願し中国国家知識財産権局で権限を与えた出願番号２０１１２００８６３８４．５拡張補助機作業ヘッドという実用新案特許は、まさにこのような技術問題を解決する。しかし、上記技術方案において２つのカッティングナイフのカッティングナイフ突出口最上段から外部スリーブ管ソケットまでの距離が同一なことから軸方向で切削する空間が同一なため、割と大きい軸方向空間の切削には使用することができない。これは従来技術の欠点でもある。
【先行技術文献】
【特許文献】
【０００３】
【特許文献１】中国実用新案特許出願番号２０１１２００８６３８４．５
【発明の概要】
【発明が解決しようとする課題】
【０００４】
本発明は、拡張補助機カッティングヘッド技術方案を提案することによって従来技術の欠点を補う。上記の技術方案では２つのカッティングナイフ突出口の最上段と外部スリーブ管ソケット間の距離に一定の偏差を置くことによってカッティングナイフの軸方向での切削空間を大きくすることができる。
【課題を解決するための手段】
【０００５】
本発明は、次のような技術方案を介して実現することができる。つまり、拡張補助機カッティングヘッドにおいて、外部スリーブ管を有し、前記外部スリーブ管内部キャビティにプッシュプールロッドがあり、前記プッシュプルロッドの最上段に２つの金属片カッティングナイフが固定され、前記外部スリーブ管の最上段に外部スリーブ管ソケットがあり、前記外部スリーブ管の側壁から対応する２つの金属片カッティングナイフには２つのストリップ型カッティングナイフ突出口があり、前記２つの金属片カッティングナイフと対応する２つのカッティングナイフ突出口から突出されることができ、前記２つの金属片カッティングナイフ間に一つの中心隔離板が前記外部スリーブ管ソケットにさらに固定され、本技術方案の特徴は前記２つのカッティングナイフ突出口の最上段と外部スリーブ管ソケット間の距離に偏差があるということだ。また、前記２つのカッティングナイフ突出口の最上段と外部スリーブ管ソケットとの距離偏差が２ｍｍないし２０ｍｍ以内である。
【発明の効果】
【０００６】
上記の技術方案では２つのカッティングナイフ突出口の最上段と外部スリーブ管ソケット間の距離に偏差がある。このような構造は、２つのカッティングナイフ突出口が突出される時に２つのカッティングナイフ突出口の最大半径が同一の平面に存在しないようにすることができる。つまり、軸方向の切削空間を大きくすることができる。ここで分かるように、本発明は従来技術と比べる時、特段な実質的特徴と顕著な進歩性があるので、その実施に係る有益な効果もまた著しい。
【図面の簡単な説明】
【０００７】
【図１】本発明において具体的な実施方式の断面図である。
【図２】図１の作業状態の部分的な断面図である。
【発明を実施するための形態】
【０００８】
本発明の技術特徴を詳細に説明するために、下記の具体的な実施方式及び図面を参照して本発明を詳細に説明する。
【０００９】
図面から分かるように、本発明は外部スリーブ管４を有し、外部スリーブ管４内部キャビティにプッシュプルロッド５があり、前記プッシュプルロッド５の最上段に２つの対応する金属片カッティングナイフ２が固定され、外部スリーブ管４の最上段に外部スリーブ管ソケット２があり、外部スリーブ管４の側壁から対応する２つの金属片カッティングナイフ２には２つのストリップ型カッティングナイフ突出口３があり、前記２つの金属片カッティングナイフ２と対応する２つのカッティングナイフ突出口３から突出されることができ、前記２つの金属片カッティングナイフ２間に一つの中心隔離板６が前記外部スリーブ管ソケット１にさらに固定され、前記２つのカッティングナイフ突出口３の最上段と外部スリーブ管ソケット１間の距離に偏差があり、前記偏差は２ｍｍないし２０ｍｍ以内であり、本発明の具体的な実施方式で採用する偏差は１０ｍｍである。
【符号の説明】
【００１０】
１：外部スリーブ管ソケット
２：金属片カッティングナイフ
３：カッティングナイフ突出口
４：外部スリーブ管
５：プッシュプルロッド
６：中心隔離板椎体
【図１】
2017515533.tif 000003
【図２】
2017515533.tif 000004
【国際調査報告】
2017515533.tif 000005
2017515533.tif 000006
2017515533.tif 000007
2017515533.tif 000008
2017515533.tif 000009
2017515533.tif 000010